(57)【要約】【課題】  プーリ間にベルトやワイヤ等の環状体が巻架された駆動機構により移動される走査キャリッジを有する読取ユニットを具備してなる画像読取装置において、駆動プーリが固定される駆動軸の支持構造を簡易なものとして、組付け及び分解作業性の向上とコストの抑制を可能とする手段を提供する。【解決手段】  本コピー・ファクシミリ複合機１００は、読取載置台１０１のシャーシ１３に貫通孔１４０が形成され、該貫通孔１４０に軸受け部材１３８がフランジ部１３８ａを内側にして嵌挿され、該軸受け部材１３８に駆動軸１３７が軸支され、該駆動軸１３７に前記フランジ部１３８ａをシャーシ１３と狭持するように駆動プーリ１３１，１３２が固定されたものである。【選択図】図３
2005195910.tif 000002
【特許請求の範囲】
【請求項１】
駆動プーリと従動プーリ間に巻架された環状体により原稿に沿って移動される走査キャリッジと、該原稿の光学画像を画像信号に変換するイメージスキャナとを備えた読取ユニットが読取載置台に収容されてなる画像読取装置において、
前記読取載置台のシャーシに貫通孔が形成され、該貫通孔に軸受け部材がフランジ部を内側にして嵌挿され、該軸受け部材に駆動軸が軸支され、該駆動軸に前記軸受け部材のフランジ部をシャーシと狭持するように駆動プーリが固定されたことを特徴とする画像読取装置。
【請求項２】
前記走査キャリッジは、原稿に光を照射しながら走査され、該原稿からの反射光を所定方向へ導くフルレートキャリッジと、該フルレートキャリッジからの反射光を前記イメージスキャナへ導くハーフレートキャリッジとからなり、前記駆動プーリは、前記フルレートキャリッジを駆動するための大径プーリと、前記ハーフレートキャリッジを駆動するための小径プーリとが一体成形されたものであることを特徴とする請求項１記載の画像読取装置。
【発明の詳細な説明】
【技術分野】
【０００１】
本発明は、スキャナ、ファクシミリ、複写機等の画像読取装置における駆動軸の支持構造に関する。
【背景技術】
【０００２】
スキャナ、ファクシミリ、複写機等においては、ＣＣＤ（Ｃｈａｒｇｅ  Ｃｏｕｐｌｅｄ  Ｄｅｖｉｃｅ）等の縮小光学系の読取ユニットを読取載置台に内蔵させたフラットベッドスキャナ（以下「ＦＢＳ」という。）を画像読取手段として用いるものがある。図４は、従来のコピー・ファクシミリ複合機９００の上部の外観を示す概略斜視図であるが、図に示すように、コピー・ファクシミリ複合機９００は、読み取るべき原稿を載置するプラテンガラス９０１が配設された読取載置台９０２と、該原稿をプラテンガラス９０１上に押圧して固定する原稿押えカバー９０３と、原稿の読取り開始等を入力するための操作パネル９０４とを具備してなり、図には示していないが、コピー・ファクシミリ複合機９００の本体には、記録用紙に画像を記録する画像記録部や画像を電送するための送信部、読み取った画像を記録するための記録用紙を供給する給紙カセット等が備えられている。
【０００３】
前記読取載置台９０２には、ＣＣＤ等の読取ユニットが内蔵されている。該読取ユニットには、図５に示すように、原稿に光を照射するための光源と原稿からの反射孔をＣＣＤへ導くための反射ミラーが適宜配設されたフルレートキャリッジ９０５及びハーフレートキャリッジ９０６が、読取載置台９０２内に設けられた不図示のガイドレール上を摺動可能に設けられており、該フルレートキャリッジ９０５及びハーフレートキャリッジ９０６をプラテンガラス９０１上の原稿に対して走査して、原稿からの反射光Ｒをスキャナユニット９０７により画像信号として読み取るようになっている。
【０００４】
前記フルレートキャリッジ９０５及びハーフレートキャリッジ９０６は、ベルト駆動機構９０８により移動されるようになっている。該ベルト駆動機構９０８は、図に示すように、駆動プーリ８０，８１と従動プーリ８２，８３間に夫々巻架されたベルト８４，８５が駆動軸８６の回転により周運動するように構成されたものであり、ベルト８４にフルレートキャリッジ９０５が、ベルト８５にハーフレートキャリッジ９０６が夫々固定されている。図には詳細に示していないが、従動プーリ８２，８３は夫々支持ブラケットに支持されており、各支持ブラケットがコイルバネ等の弾性部材により前記ベルト８４，８５を張る方向へ付勢されることにより、該ベルト８４，８５に張力が付与されている。ベルト８４が巻架された駆動プーリ８０及び従動プーリ８２は同径であり、ベルト８５が巻架された駆動プーリ８１及び従動プーリ８３も同径であり、駆動プーリ８０及び従動プーリ８２の径に対して、駆動プーリ８１及び従動プーリ８３の径は略１／２となっており、該ギヤ比によりフルレートキャリッジ９０５の移動距離に対して約１／２だけハーフレートキャリッジ９０６が移動するようになっている。
【０００５】
図６は、従来の駆動軸８６の支持構造の一例を示すものであるが、図に示すように、駆動軸８６は、読取載置台９０２のシャーシ８７の貫通孔８８に嵌挿された軸受け部材８９に両端部が夫々軸支されている。該軸受け部材８９は所謂玉軸受けであり、駆動軸８６の両端部をラジアル方向に支持している。また、軸受け部材８９にはフランジ部８９ａが形成されており、該フランジ部８９ａがシャーシ８７の外側面に当接するように前記貫通孔８８に嵌挿され、さらに該フランジ部８９ａの外側においてｅリング９０が駆動軸８６に嵌め込まれることにより軸受け部材８９がスラスト方向に固定されている。
【発明の開示】
【発明が解決しようとする課題】
【０００６】
しかし、前述した従来の駆動軸８６の支持構造において、前記ｅリング９０は、リング内に駆動軸８６を押し入れるようにして嵌め込むものであるから、組付け作業性がよくないという問題がある。また、スキャナ、ファクシミリ、複写機等を廃棄する際には、読取載置台９０２を構成する駆動軸８６等の各部材を材質毎に分離するために、分解作業性もよいことが望ましく、更に、部品点数を減らすことは、組付け又は分解の際の作業性のみならずコストを抑制する点からも望ましい。
【０００７】
本発明は、かかる課題を解決すべくなされたものであり、プーリ間にベルトやワイヤ等の環状体が巻架された駆動機構により移動される走査キャリッジを有する読取ユニットを具備してなる画像読取装置において、駆動プーリが固定される駆動軸の支持構造を簡易なものとして、組付け及び分解作業性の向上とコストの抑制を可能とする手段を提供することを目的とする。
【課題を解決するための手段】
【０００８】
本発明は、駆動プーリと従動プーリ間に巻架された環状体により原稿に沿って移動される走査キャリッジと、該原稿の光学画像を画像信号に変換するイメージスキャナとを備えた読取ユニットが読取載置台に収容されてなる画像読取装置において、前記読取載置台のシャーシに貫通孔が形成され、該貫通孔に軸受け部材がフランジ部を内側にして嵌挿され、該軸受け部材に駆動軸が軸支され、該駆動軸に前記軸受け部材のフランジ部をシャーシと狭持するように駆動プーリが固定されたことを特徴とする。
【０００９】
また、前記走査キャリッジは、原稿に光を照射しながら走査され、該原稿からの反射光を所定方向へ導くフルレートキャリッジと、該フルレートキャリッジからの反射光を前記イメージスキャナへ導くハーフレートキャリッジとからなり、前記駆動プーリは、前記フルレートキャリッジを駆動するための大径プーリと、前記ハーフレートキャリッジを駆動するための小径プーリとが一体成形されたものであることを特徴とする。
【発明の効果】
【００１０】
本発明に係る画像読取装置によれば、読取載置台のシャーシに貫通孔に、軸受け部材をフランジ部を内側にして嵌挿し、該軸受け部材に軸支された駆動軸に、軸受け部材のフランジ部をシャーシと狭持するように駆動プーリを固定したので、軸受け部材をスラスト方向に固定するためのｅリングが不要となり、組付け及び分解作業性が向上するとともに、部品点数が削減されて画像読取装置のコストダウンが実現できる。
【００１１】
また、前記駆動プーリを、フルレートキャリッジを駆動するための大径プーリとハーフレートキャリッジを駆動するための小径プーリとが一体成形されたものとしたので、駆動プーリの組付け及び分解作業性が一層向上される。
【発明を実施するための最良の形態】
【００１２】
図１は、本発明の実施の形態に係る画像読取装置であるコピー・ファクシミリ複合機１００の上部の断面を示す図である。図に示すように、該コピー・ファクシミリ複合機１００は、ＦＢＳとして機能する読取載置台１０１に対して、オート・ドキュメント・フィーダ（以下、「ＡＤＦ」という。）１を備えた原稿押えカバー１０２が開閉自在に取り付けられており、さらに、図には示していないが、本コピー・ファクシミリ複合機１００は、原稿の読取り開始等を入力するための操作パネル、記録用紙に画像を記録する画像記録部、画像を電送するための送信部、及び読み取った画像を記録するための記録用紙を供給する給紙カセット等の周知の構成をも具備しており、また、これら周知の構成は一例且つ任意のものである。
【００１３】
前記読取載置台１０１は、図１に示すように、略直方体の筐体１０の天面にプラテンガラス１１が配設され、該筐体１０内にＣＣＤ読取ユニット１２が内蔵されてなるものであり、プラテンガラス１１上に載置された原稿を原稿押えカバー１０２を閉じて固定し、ＣＣＤ読取ユニット１２により画像読取りを行うようになっている。一方、前記原稿押えカバー１０２には、複数枚の原稿を積重状態で担持する原稿トレイ２と、横向きＵ字状の搬送路３と、搬送後の原稿を積重状態で担持する排紙トレイ４と、原稿トレイ２上の原稿を搬送路３へ送り込むピックアップローラ５及び給紙ローラ６と、搬送路３において原稿をニップして搬送する搬送ローラ７と、搬送路３の出口付近に設けられた排紙ローラ８と、読取位置Ｐ２において原稿の画像読取りを行うＣＩＳ読取りユニット９とからなるＡＤＦ１が装備されている。該ＡＤＦ１によれば、原稿トレイ２から搬送路３へ繰り込まれた原稿は、横向きＵ字状の搬送路３に沿って上方から下方へＵターンするように反転して読取位置Ｐ１に至り、該読取位置Ｐ１を通過する際に前記ＣＣＤ読取ユニット１２により原稿の表面の画像が読み取られ、更に搬送路３を搬送されて読取位置Ｐ２を通過する際に密着形イメージセンサ（Ｃｏｎｔａｃｔ  Ｉｍａｇｅ  Ｓｅｎｓｏｒ、以下「ＣＩＳ」という。）を具備してなるＣＩＳ読取ユニット９により原稿の裏面の画像が読み取られ、その後、原稿トレイ２の下方の排紙トレイ４へ排出されるようになっている。なお、本コピー・ファクシミリ複合機１００においてＡＤＦ１は任意の構成である。
【００１４】
前記読取載置台１０１の筐体１０は、図２に示すシャーシ１３に樹脂製のカバー（不図示）が適宜取り付けられてなる。該シャーシ１３は、図に示すように、４つの側壁部材１４ａ，１４ｂ，１４ｃ，１４ｄからなるフレーム（枠体）１５と、該フレーム１５の下側に配設されてシャーシ１３の底部を構成するボトムシャーシ（底板）１６とから構成されている。図には示していないが、前記ＣＣＤ読取ユニット１２は、フレーム１５で囲繞されるシャーシ１３内に配設され、該フレーム１５の上部にプラテンガラス１１が配設される。したがって、シャーシ１３は読取載置台１０２の筐体１０の骨組であるとともに、ＣＣＤ読取ユニット１２及びその光路に塵埃が侵入することを防止する役割も果たしている。
【００１５】
また、各側壁部材１４ａ，１４ｂ，１４ｃ，１４ｄは板金の上端部が断面Ｌ字状に内側へ曲折されてなるものであり、該上端部でプラテンガラス１１を支持している。また、各側壁部材１４ａ，１４ｂ，１４ｃ，１４ｄは下端部も断面Ｌ字状に内側へ曲折されており該下端部においてボトムシャーシ１６とネジ止めにより連結固定されている。また、読取載置台１０１の後背面側となる側壁部材１４ａ、及び正面側となる側壁部材１４ｂは、所定の高さで、水平方向内側へ略直角に曲折されることにより水平面が形成されており、該水平面が前記ＣＣＤ読取ユニット１２を構成する不図示のフルレートキャリッジ（走査キャリッジ）１２０及びハーフレートキャリッジ（走査キャリッジ）１２１を摺動可能に担持するガイドレール１７となる。なお、ガイドレール１７には、フルレートキャリッジ１２０及びハーフレートキャリッジ１２１が摺動する際の摩擦を軽減することを目的として樹脂製の摺動テープが貼設される。また、各側壁部材１４ａ，１４ｂ，１４ｃ，１４ｄには、プラテンガラス１１やボトムシャーシ１６、その他の部材をネジ止め固定するためのネジ穴や、電気配線等のための貫通孔、駆動軸が挿通される軸受孔等が設けられているが、これらは読取載置台１０１の構成態様に合わせて適宜設計されるものなので、詳細な説明は省略する。
【００１６】
ＣＣＤ読取ユニット１２は、２つの走査キャリッジが原稿に対して走査されることにより、原稿に光を照射するとともに原稿からの反射光をイメージセンサが設けられた所定位置に導き、該反射光を電気信号に変換するものであり、図１に示すように、プラテンガラス１１と平行に走査されるフルレートキャリッジ１２０及びハーフレートキャリッジ１２１と、スキャナユニット（イメージスキャナ）１２２とから構成されている。フルレートキャリッジ１２０は、前記ガイドレール１７（不図示）上を移動するキャリッジ本体１２３に、原稿に光を照射するための光源１２４と、原稿からの反射光Ｒを走査方向へ反射してハーフレートキャリッジ１２１へ導くための反射ミラー１２５とが設けられたものであり、ハーフレートキャリッジ１２１は、ガイドレール上を移動するキャリッジ本体１２６に、フルレートキャリッジ１２０からの反射光をスキャナユニット１２２へ導く２枚の反射ミラー１２７が設けられたものである。また、スキャナユニット１２２は、前記ハーフレートキャリッジ１２１からの反射光Ｒを収束する結像レンズ１２８と、その収束光による光学画像を電気信号に変換するためのＣＣＤイメージセンサ１２９とを具備してなり、前記結像レンズ１２８の光軸上にＣＣＤイメージセンサ１２９が位置するように調整されて配設されている。原稿の画像読取を行う際は、前記フルレートキャリッジ１２０が、光源１２４から光を発しながらプラテンガラス１１上の原稿に対して平行に移動されることにより、原稿の読取面に光源１２４の光が走査方向に順次照射され、その光の反射光Ｒが反射ミラー１２５によりハーフレートキャリッジ１２１へ反射される。該ハーフレートキャリッジ１２１もフルレートキャリッジ１２０と同時に移動されて、フルレートキャリッジ１２０からの反射光Ｒを２枚の反射ミラー１２７で反射してスキャナユニット１２２へ導く。そして、前記スキャナユニット１２２により、該反射光ＲがＣＣＤイメージセンサ１２９に読み取られて電気信号として出力され、該電気信号に基づいて原稿の画像が記録部により記録用紙に記録され、又は送信部により送信される。これら記録部及び送信部は公知且つ任意の構成なので詳細な説明は省略する。
【００１７】
一方、前記フルレートキャリッジ１２０及びハーフレートキャリッジ１２１は、前記ガイドレール１７により夫々摺動可能に担持され、その両側に配設された一対のベルト駆動機構１３０により走査されるようになっている。図１には一対のベルト駆動機構１３０の一方が示されているが、該ベルト駆動機構１３０は、駆動プーリ１３１，１３２と従動プーリ１３３，１３４間に夫々巻架されたベルト（環状体）１３５，１３６が駆動軸１３７の回転により周運動するように構成されたものであり、ベルト１３５にフルレートキャリッジ１２０が、ベルト１３６にハーフレートキャリッジ１２１が夫々固定されている。駆動プーリ１３１，１３２は駆動軸１３７に固定されており、フルレートキャリッジ１２０及びハーフレートキャリッジ１２１の走査範囲は該駆動プーリ１３１，１３２のギア比により設定されており、フルレートキャリッジ１２０を駆動するための駆動プーリ（大径プーリ）１３１に対してハーフレートキャリッジ１２１を駆動するため駆動プーリ（小径プーリ）１３２のギア比が略１／２となっている。前記駆動軸１３７が不図示のモータ等の駆動源から回転力が付与されて回転することにより駆動プーリ１３１，１３２が回転し、該駆動プーリ１３１，１３２に夫々巻架されたベルト１３５，１３６によりフルレートキャリッジ１２０及びハーフレートキャリッジ１２１が走査され、該ハーフレートキャリッジ１２１の走査速度及び走査距離はフルレートキャリッジ１２０の走査速度及び走査距離に対して各々略１／２となる。このように構成されたフルレートキャリッジ１２０及びハーフレートキャリッジ１２１がプラテンガラス１１の下方を該プラテンガラス１１に載置された原稿と平行に移動して原稿の画像をスキャンし、フルレートキャリッジ１２０の光源１２４から原稿に光が照射され、該原稿からの反射光Ｒが反射ミラー１２５，１２７に順次反射されてスキャナユニット１２２へ導かれるようになっている。なお、本実施の形態では環状体としてベルト１３５，１３６を用いているが、駆動伝達のためにプーリ間に巻架されるものであれば、ベルトのような帯状の環状体に代えてワイヤ等の索状の環状体を用いることも可能である。
【００１８】
以下、前記駆動軸１３７の支持構造について説明する。
図２及び図３に示すように、前記読取載置台１０１のシャーシ１３の側壁部材１４ａ，１４ｂには、前記フルレートキャリッジ１２０の走査端付近であってガイドレール１７の下方に貫通孔１４０がそれぞれ形成されている。該貫通孔１４０は、駆動軸１３７及び軸受け部材１３８を挿通するためのものであり、略円筒状の軸受け部材１３８の外形に合致するように円形に形成されている。軸受け部材１３８は駆動軸１３７を軸支するための所謂玉軸受けであり、図には詳細に示していないが、外レースと内レースとの間に鋼球が転動体と挟まれており、該内レースに挿入された駆動軸１３７をラジアル方向に支持するものである。該軸受け部材１３７の一端側には前記貫通孔１４０より径大のフランジ部１３８ａが形成されており、図に示すように、該フランジ部１３８ａを側壁部材１４ａ，１４ｂの内側となるようにして各貫通孔１４０に夫々嵌挿され、そのフランジ部１３８ａを側壁部材１４ａ，１４ｂの内側面に当接させることにより位置決めされている。
【００１９】
前記軸受け部材１３８に駆動軸１３７の両端部が夫々挿通されて軸支されており、さらに、該駆動軸１３７の内側には駆動プーリ１３１，１３２が夫々固定されている。該駆動プーリ１３１，１３２は、フルレートキャリッジ１２０を駆動するための大径の駆動プーリ１３１を外側に、ハーフレートキャリッジ１２１を駆動するための小径の駆動プーリ１３２を内側にして、合成樹脂により一体成形されたものであり、駆動プーリ１３２の内側部分に径方向にネジ孔１３２ａが穿設されている。該ネジ孔１３２ａに対応して、駆動軸１３７には、駆動プーリ１３１，１３２を固定すべき所定位置にネジ孔１３７ａが夫々形成されており、これらネジ孔１３２ａ，１３７ａにネジ１３９が螺合されることにより、駆動軸１３７の両端部の所定位置に一対の駆動プーリ１３１，１３２が夫々固定されている。駆動軸１３７にネジ止め固定された各駆動プーリ１３１，１３２により、側壁部材１４ａ，１４ｂの各貫通孔１４０に嵌挿された各軸受け部材１３８は、そのフランジ部１３８ａが側壁部材１４ａ，１４ｂと駆動プーリ１３１により狭持されてスラスト方向にも固定されている。なお、駆動プーリ１３１，１３２を独立したものとして夫々を駆動軸１３７に固定することとしてもよいが、駆動プーリ１３１，１３２を一体成形することにより、組付け及び分解作業が簡便となるので好適である。
【００２０】
このような支持構造において駆動軸１３７を組み付けるには、先ず、駆動軸１３７に一対の駆動プーリ１３１，１３２を嵌装し、更に一対の軸受け部材１３８を嵌装する。この際、駆動プーリ１３１，１３２は固定せずに駆動軸１３７の中央付近に寄せておき、軸受け部材１３８も同様に寄せておく。該駆動軸１３７の両端部を、予め組み付けられたシャーシ１３の側壁部材１４ａ，１４ｂの各貫通孔１４０に夫々挿通し、その後、各軸受け部材１３８を駆動軸１３７上を両端側へ移動させて各貫通孔１４０に嵌挿する。同様に、各駆動プーリ１３１，１３２も両端側へ移動させ、ネジ孔１３２ａとネジ孔１３７ａを合わせ、ネジ１３９を螺合して固定する。これにより、各軸受け部材１３８も固定される。分解する際には、組付け手順を逆に行えばよい。したがって、各軸受け部材１３８をスラスト方向に固定するためのｅリング等の固定部材が不要となって組付け作業及び分解作業性がともに向上する。また、部品点数が削減されるので装置のコストダウンが実現できる。
【００２１】
なお、本実施の形態で示したコピー・ファクシミリ複合機１００の構成は、本発明に係る画像読取装置の一態様にすぎず、本発明の要旨を逸脱しない範囲内で適宜設計変更できることは勿論である。
【産業上の利用可能性】
【００２２】
本発明に係る画像読取装置は、スキャナ、ファクシミリ、複写機等において、走査キャリッジを駆動するための駆動軸の支持構造に利用できる。
【図面の簡単な説明】
【００２３】
【図１】本発明の実施の形態に係るコピー・ファクシミリ複合機１００の上部の概略構成を示す断面図である。
【図２】シャーシ１３、駆動軸１３７、軸受け部材１３８、及び駆動プーリ１３１，１３２の構成を示す分解斜視図である。
【図３】駆動軸１３７の支持構造を示す拡大断面図である。
【図４】従来のコピー・ファクシミリ複合機９００の上部の構成を示す概略斜視図である。
【図５】読取載置台９０２内の読取ユニットの概略構造を示す断面図である。
【図６】従来の駆動軸８６の支持構造の一例を示す拡大断面図である。
【符号の説明】
【００２４】
１２  ＣＣＤ読取ユニット（読取ユニット）
１３  シャーシ
１００  コピー・ファクシミリ複合機（画像読取装置）
１０１  読取載置台
１２０  フルレートキャリッジ（走査キャリッジ）
１２１  ハーフレートキャリッジ（走査キャリッジ）
１２２  スキャナユニット（イメージスキャナ）
１３１  駆動プーリ（大径プーリ）
１３２  駆動プーリ（小径プーリ）
１３３，１３４  従動プーリ
１３５，１３６  ベルト（環状体）
１３７  駆動軸
１３８  軸受け部材
１３８ａ  フランジ部
１４０  貫通孔
【図１】
2005195910.tif 000003
【図２】
2005195910.tif 000004
【図３】
2005195910.tif 000005
【図４】
2005195910.tif 000006
【図５】
2005195910.tif 000007
【図６】
2005195910.tif 000008